(57)【要約】      （修正有）【課題】発光素子から放出される光を効果的に散乱させる構造を有した発光素子パッケージを提供する。【解決手段】発光素子パッケージ１０は基板１と、前記基板１の表面に形成される絶縁層２と、前記絶縁層２の表面に形成される金属層３と、前記金属層３と電気的に連結されて前記基板１の上側に設置される発光素子４を含む。前記基板１はシリコン材のウェハーからなることができ、前記基板１の上面には溝５が形成される。前記基板１は前記溝５が形成されることで、前記基板１の上面には底面１１と傾斜面１２が形成される。前記底面１１には複数の突起１３が形成される。前記金属層３は前記発光素子４に電源を印加するだけでなく、前記発光素子４から放出される光を反射させて光効率を高める働きをする。特に、前記傾斜面１２に形成される金属層３は、上側方向に光を反射させて光効率を高めることができる。【選択図】図１
0003175474.tif 000002
【実用新案登録請求の範囲】
【請求項１】
基板と、
前記基板上の金属層と、
前記基板に設置され、かつ、前記金属層と電気的に連結された発光素子と
を備え、
前記金属層は、互いに電気的に分離された少なくとも２つの部分を有し、
前記金属層は、複数の突起部を有する、発光素子パッケージ。
【請求項２】
前記基板には溝が形成され、
前記溝は、底面および側面を有し、
前記発光素子は、前記溝の前記底面の上に配置され、
前記金属層の一部は、前記発光素子と前記底面との間にある、請求項１に記載の発光素子パッケージ。
【請求項３】
前記金属層の一部は、前記溝の側面に配置されている、請求項２に記載の発光パッケージ。
【請求項４】
前記金属層は、アルミニウム（Ａｌ）又は銀（Ａｇ）を含む、請求項１に記載の発光パッケージ。
【請求項５】
前記金属層は、導電性金属を含み、前記アルミニウム（Ａｌ）又は銀（Ａｇ）は、前記導電性金属の上に配置されている、請求項４に記載の発光パッケージ。
【請求項６】
前記導電性金属は銅（Ｃｕ）を含む、請求項５に記載の発光パッケージ。
【請求項７】
前記基板と前記金属層との間に絶縁層をさらに備える、請求項１に記載の発光パッケージ。
【請求項８】
前記溝内にモールディング部材をさらに備える、請求項１に記載の発光パッケージ。
【請求項９】
前記モールディング部材の上面は、凹形状、凸形状、又はフラット形状で形成されている、請求項８に記載の発光パッケージ。
【請求項１０】
前記モールディング部材は、前記発光素子から放出された光の色を変換する蛍光体を含む、請求項８に記載の発光パッケージ。
【請求項１１】
前記溝の前記側面は傾斜面である、請求項１記載の発光パッケージ。
【請求項１２】
前記発光素子は、前記金属層の前記少なくとも２つの部分のうちの１つの上の配置されている、請求項１に記載の発光パッケージ。
【請求項１３】
前記基板はシリコンを含む、請求項１に記載の発光素子パッケージ。
【請求項１４】
前記複数の突起部は、それぞれ、半球、円錐、円柱、多角形、及び多角錐のいずれかの形状で形成されている、請求項１に記載の発光パッケージ。
【請求項１５】
前記金属層は、前記基板の下面まで延在する、請求項１に記載の発光パッケージ。
【考案の詳細な説明】
【技術分野】
【０００１】
本考案は、発光素子パッケージに関する。
【背景技術】
【０００２】
発光素子として発光ダイオードが多く用いられている。前記発光ダイオードはＮ型半導体層、活性層、Ｐ型半導体層が積層されて、印加される電源により前記活性層において光が発生し、外部に放出される。
【０００３】
前記発光素子のパッケージは前記発光ダイオードと、前記発光ダイオードを支持する基板と、前記発光ダイオードに電源を提供するための導電部材を含む。
【０００４】
近年、発光素子の構造、及び前記発光素子を含む発光素子パッケージの構造改良により光効率を高めようとする研究が進んでいる。
【考案の概要】
【考案が解決しようとする課題】
【０００５】
本考案の一態様は、発光効率が向上された発光素子パッケージを提供する。
【０００６】
また、本考案の一態様は、発光素子から放出される光を効果的に散乱させる発光素子パッケージを提供する。
【課題を解決するための手段】
【０００７】
このような目的を達成するために、本考案の一態様は、基板と、前記基板上の金属層と、前記基板に設置され、かつ、前記金属層と電気的に連結された発光素子とを備える発光素子パッケージである。前記金属層は、互いに電気的に分離された少なくとも２つの部分を有し、前記金属層は、複数の突起部を有する。
【考案の効果】
【０００８】
本考案の一態様は、発光効率が向上された発光素子パッケージを提供することができる。
【０００９】
また、本考案の一態様は、発光素子から放出される光を効果的に散乱させる発光素子パッケージを提供することができる。
【図面の簡単な説明】
【００１０】
【図１】第１実施例に係る発光素子パッケージの断面図。
【図２】第１実施例に係る発光素子パッケージを上から見た図面。
【図３】第１実施例に係る発光素子パッケージの製造方法の概略図。
【図４】第１実施例に係る発光素子パッケージの製造方法の概略図。
【図５】第１実施例に係る発光素子パッケージの製造方法の概略図。
【図６】第１実施例に係る発光素子パッケージの製造方法の概略図。
【図７】第１実施例に係る発光素子パッケージの製造方法の概略図。
【図８】第２実施例に係る発光素子パッケージの断面図。
【図９】第３実施例に係る発光素子パッケージの断面図。
【図１０】第３実施例に係る発光素子パッケージの製造方法の概略図。
【図１１】第３実施例に係る発光素子パッケージの製造方法の概略図。
【図１２】第３実施例に係る発光素子パッケージの製造方法の概略図。
【考案を実施するための形態】
【００１１】
以下、添付された図面を参照しながら本考案の発光素子パッケージ及びその製造方法を説明する。
【００１２】
図１は第１実施例に係る発光素子パッケージの断面図で、図２は第１実施例に係る発光素子パッケージを上から見た図面である。
【００１３】
図１と図２に示すように、発光素子パッケージ１０は基板１と、前記基板１の表面に形成される絶縁層２と、前記絶縁層２の表面に形成される金属層３と、前記金属層３と電気的に連結されて前記基板１の上側に設置される発光素子４を含む。前記基板１はシリコン材のウェハーからなることができ、前記基板１の上面には溝(Groove)５が形成される。
【００１４】
前記基板１は前記溝５が形成されることで、前記基板１の上面には底面１１と傾斜面１２が形成される。前記底面１１には複数の突起１３が形成される。例えば、前記突起１３は半球、円錐、円柱、多角形、多角錐中少なくともいずれか１つの形態に形成することができる。
【００１５】
前記絶縁層２は、前記基板１が酸化されたシリコン酸化膜からなり、前記基板１の上面、側面及び下面に形成される。
【００１６】
前記溝５の底面１１には複数の突起１３が形成されるので、前記溝５内に形成される絶縁層２は前記突起１３の形状に対応して形成される。
【００１７】
前記金属層３は電気的に分離される２つの部分からなり、前記発光素子４と電気的に連結される。前記金属層３は前記基板１の上面、側面及び下面に形成することができる。
【００１８】
前記溝５の底面１１には複数の突起１３が形成されるので、前記溝５内に形成される金属層３は前記突起１３の形状に対応して形成される。前記発光素子４は前記溝５内に設置される。
【００１９】
前記発光素子４は前記金属層３と電気的に連結され、前記金属層３より外部電源が印加される。前記発光素子４の第１電極層は前記金属層３と直接接触されて電気的に連結され、前記発光素子４の第２電極層は前記金属層３とワイヤー６を介在して電気的に連結される。
【００２０】
本実施例において、前記金属層３は前記発光素子４に電源を印加するだけでなく、前記発光素子４から放出される光を反射させて光効率を高める働きをする。特に、前記傾斜面１２に形成される金属層３は、上側方向に光を反射させて光効率を高めることができる。
【００２１】
前記金属層３は反射度が高いアルミニウム(Ａｌ)や銀(Ａｇ)、または銅(Ｃｕ)などの導電性金属の表面に前記アルミニウムや銀がコーティングされたものからなることができる。
【００２２】
また、前記溝５の底面１１に形成される複数の突起１３によって前記溝５内に形成される金属層３の表面は前記突起１３と対応する凸凹形状を有するので、前記金属層３の凸凹形状によって前記発光素子４から放出される光が散乱される。
【００２３】
一方、前記溝５には前記発光素子４及びワイヤー６を保護するためのモールディング部材７を充填することができる。前記モールディング部材７の上面は凹形状、凸形状、フラット形状など多様な形態に形成することができ、前記モールディング部材７の形態により前記発光素子４から放出される光の指向角が変化される。
【００２４】
また、前記モールディング部材７は蛍光体を含むことができる。前記蛍光体は前記発光素子４から放出される光の色を変換させる。
【００２５】
本実施例の発光素子パッケージ１０は前記発光素子４から放出される光を散乱させ、光効率を高めることができる。
【００２６】
図３〜図７は第１実施例に係る発光素子パッケージの製造方法の概略図である。図３に示すように、基板１が設けられ、前記基板１の上面をエッチングして溝５を形成する。前記溝５により前記基板１の上面には底面１１と傾斜面１２が形成される。
【００２７】
前記基板１はシリコン材のウェハーからなることができ、前記溝５は前記基板１の上面を湿式エッチングすることで形成することができる。湿式エッチングには、水酸化カリウム(ＫＯＨ)溶液またはＨＮＡ(ＨＦ+ＨＮＯ３+ＣＨ３ＣＯＯＨ)を用いることができる。
【００２８】
図４に示すように、前記溝５により形成される底面１１を部分的にエッチングして複数の突起１３を形成する。例えば、前記複数の突起１３はフォトレジストパターンをマスクとしてドライエッチングにより形成することができる。
【００２９】
図５に示すように、前記複数の突起１３が形成される基板１の表面に絶縁層２を形成する。前記絶縁層２は前記基板１における漏洩電流の発生を防ぐめのもので、前記基板１を酸化させたシリコン酸化膜からなることができる。
【００３０】
図６に示すように、前記基板１に形成される絶縁層２の表面に金属層３を形成する。前記金属層３は電子ビーム(e-beam)法、スパッタ法、電気メッキ法等により形成することができ、２つの部分に分かれて電気的に分離される。
【００３１】
図７に示すように、前記基板１の溝５内に発光素子４が設置される。前記発光素子４の第１電極層は前記金属層３と直接接触されて電気的に連結され、第２電極層は前記金属層３とワイヤー６０を介在して電気的に連結される。また、前記基板１の溝５内に蛍光体を含むモールディング部材７を充填することができる。
【００３２】
図８は第２実施例に係る発光素子パッケージの断面図である。図８に示すように、発光素子パッケージ２０は基板２１と、前記基板２１の表面に形成される絶縁層２２と、前記絶縁層２２の表面に形成される金属層２３と、前記基板２１の上面に設置される発光素子２４と、前記発光素子２４と金属層２３を電気的に連結するワイヤー２６を含む。
【００３３】
前記基板２１はシリコン材からなることができ、前記基板２１の上面には溝２５が形成される。前記基板２１は前記溝２５が形成されることで、前記基板２１の上面には底面３１と傾斜面３２が形成される。前記底面３１には複数の突起３３が形成される。
【００３４】
前記絶縁層２２は前記基板２１を酸化させたシリコン酸化膜からなることができる。前記絶縁層２２は前記基板２１の上面、側面及び下面に形成することができる。前記溝２５の底面３１には複数の突起３３が形成されるので、前記溝２５内に形成される絶縁層２２は前記突起３３の形状に応じて形成される。
【００３５】
前記金属層２３は電気的に分離される２つの部分からなり、前記発光素子２４と電気的に連結される。前記金属層２３は前記基板２１の上面、側面及び下面に形成することができる。
【００３６】
前記溝２５の底面３１には複数の突起３３が形成されるので、前記溝２５内に形成される金属層２３は前記突起３３の形状に対応して形成される。前記発光素子２４は前記溝２５内に設置される。前記発光素子２４は前記金属層２３とワイヤー２６を介在して電気的に連結され、前記金属層２３より外部電源が印加される。
【００３７】
本実施例において、前記金属層２３は前記発光素子２４に電源を印加するだけでなく、前記発光素子２４から放出される光を反射させ、光効率を高める働きをする。
【００３８】
また、前記溝２５の底面３１に形成される複数の突起３３によって前記溝２５内に形成される金属層２３の表面は前記突起３３と対応する凸凹形状を有するので、前記金属層２３の凸凹形状によって前記発光素子２４から放出される光が散乱される。
【００３９】
また、前記溝２５内には、蛍光体を含むモールディング部材２７を充填することができる。本実施例の発光素子パッケージ２０は前記突起１３、２３により前記発光素子２４から放出される光を効果的に散乱させ、光効率を高めることができる。
【００４０】
図９は第３実施例に係る発光素子パッケージの断面図で、図１０〜図１２は第３実施例に係る発光素子パッケージの製造方法の概略図である。第３実施例の説明において、第１実施例との相違点を主に説明する。
【００４１】
図９に示すように、発光素子パッケージ３０は基板１と、前記基板１の表面に形成される絶縁層２と、前記絶縁層２の表面に形成される金属層３と、前記金属層３と電気的に連結されて前記基板１の上側に設置される発光素子４を含む。前記基板１はシリコン材のウェハーからなることができ、前記基板１の上面には溝５が形成される。
【００４２】
前記基板１は前記溝５が形成されることで、前記基板１の上面には底面１１と傾斜面１２が形成される。前記底面１１には複数の突起１３が形成され、また前記傾斜面１２にも複数の突起４３が形成される。例えば、前記突起１３、４３は半球、円錐、円柱、多角形、多角錐中少なくともいずれか１つの形態に形成することができる。
【００４３】
前記発光素子４は前記金属層３と電気的に連結され、前記金属層３より外部電源が印加される。前記発光素子４の第１電極層は前記金属層３と直接接触されて電気的に連結され、前記発光素子４の第２電極層は前記金属層３とワイヤー６を介在して電気的に連結される。
【００４４】
本実施例において、前記金属層３は前記発光素子４に電源を印加するだけでなく、前記発光素子４から放出される光を反射させて光効率を高める働きをする。特に、前記傾斜面１２に形成される金属層３は前記突起４３の形態に対応して形成されるので、上側方向に光を反射及び散乱させ、光効率を高めることができる。
【００４５】
また、前記溝５の底面１１に形成される複数の突起１３によって前記溝５内に形成される金属層３の表面が前記突起１３と対応する凸凹形状を有するので、前記金属層３の凸凹形状によって前記発光素子４から放出される光が散乱される。
【００４６】
一方、前記溝５には前記発光素子４及びワイヤー６を保護するためのモールディング部材７を充填することができる。また、前記モールディング部材７は蛍光体を含むことができる。
【００４７】
本実施例の発光素子パッケージ３０は前記発光素子４から放出される光を効果的に散乱させ、光効率を高めることができる。
【００４８】
図１０〜図１２は第３実施例に係る発光素子パッケージの製造方法の概略図である。図１０〜図１２では、傾斜面１２に突起４３を形成する過程を主に説明、前記第１と同一な製造過程はその説明を省略する。
【００４９】
図１０に示すように、基板１が設けられ、前記基板１の上面をエッチングして溝５を形成する。前記溝５により前記基板１の上面には底面１１と傾斜面１２が形成される。
【００５０】
前記基板１はシリコン材のウェハーからなることができ、前記溝５は前記基板１の上面を湿式エッチングすることで形成することができる。湿式エッチングには、水酸化カリウム(ＫＯＨ)溶液またはＨＮＡ(ＨＦ+ＨＮＯ３+ＣＨ３ＣＯＯＨ)を用いることができる。
【００５１】
そして、前記溝５により形成される底面１１を部分的にエッチングして複数の突起１３を形成する。例えば、前記複数の突起１３はフォトレジストパターンをマスクとしてドライエッチングにより形成することができる。また、前記傾斜面１２に銀(Ａｇ)薄膜４０を１００Å以下に蒸着する。
【００５２】
図１１に示すように、前記は薄膜４０を熱処理することで、前記傾斜面１２に部分的に銀薄膜パターン４０aが形成される。
【００５３】
図１２に示すように、前記は薄膜パターン４０aをマスクとして前記傾斜面１２をエッチングすることで、前記傾斜面１２に複数の突起４３が形成される。よって、前記溝５の底面１１及び傾斜面１３にはそれぞれ複数の突起１３、４３が形成される。
【００５４】
また、図１０〜図１２に図示はしないが、前記底面１１に形成される突起１３は、フォトレジストパターンではなく、前記銀薄膜パターン４０aをマスクとして形成することもできる。以後の製造過程は前述の第１実施例と同一である。
【産業上の利用可能性】
【００５５】
本考案の発光素子パッケージは、照明装置または様々な電子機器の光源に適用することができる。
【符号の説明】
【００５６】
１  基板
２  絶縁層
３  金属層
４  発光素子
５  溝(Groove)
６  ワイヤー
７  モールディング部材
１０  発光素子パッケージ
１１  底面
１２  傾斜面
１３  突起
【図１】
0003175474.tif 000003
【図２】
0003175474.tif 000004
【図３】
0003175474.tif 000005
【図４】
0003175474.tif 000006
【図５】
0003175474.tif 000007
【図６】
0003175474.tif 000008
【図７】
0003175474.tif 000009
【図８】
0003175474.tif 000010
【図９】
0003175474.tif 000011
【図１０】
0003175474.tif 000012
【図１１】
0003175474.tif 000013
【図１２】
0003175474.tif 000014
【手続補正書】
【提出日】平成24年2月27日(2012.2.27)
【手続補正１】
【補正対象書類名】実用新案登録請求の範囲
【補正対象項目名】全文
【補正方法】変更
【補正の内容】
【実用新案登録請求の範囲】
【請求項１】
基板と、
前記基板上の金属層と、
前記基板に設置され、かつ、前記金属層と電気的に連結された発光素子と
を備え、
前記金属層は、互いに電気的に分離された少なくとも２つの部分を有し、
前記金属層は、複数の突起部を有する、発光素子パッケージ。
【請求項２】
前記基板には溝が形成され、
前記溝は、底面および側面を有し、
前記発光素子は、前記溝の前記底面の上に配置され、
前記金属層の一部は、前記発光素子と前記底面との間にある、請求項１に記載の発光素子パッケージ。
【請求項３】
前記金属層の一部は、前記溝の側面に配置されている、請求項２に記載の発光素子パッケージ。
【請求項４】
前記金属層は、アルミニウム（Ａｌ）又は銀（Ａｇ）を含む、請求項１に記載の発光素子パッケージ。
【請求項５】
前記金属層は、導電性金属を含み、前記アルミニウム（Ａｌ）又は銀（Ａｇ）は、前記導電性金属の上に配置されている、請求項４に記載の発光素子パッケージ。
【請求項６】
前記導電性金属は銅（Ｃｕ）を含む、請求項５に記載の発光素子パッケージ。
【請求項７】
前記基板と前記金属層との間に絶縁層をさらに備える、請求項１に記載の発光素子パッケージ。
【請求項８】
前記溝内にモールディング部材をさらに備える、請求項２に記載の発光素子パッケージ。
【請求項９】
前記モールディング部材の上面は、凹形状、凸形状、又はフラット形状で形成されている、請求項８に記載の発光素子パッケージ。
【請求項１０】
前記モールディング部材は、前記発光素子から放出された光の色を変換する蛍光体を含む、請求項８に記載の発光素子パッケージ。
【請求項１１】
前記溝の前記側面は傾斜面である、請求項２記載の発光素子パッケージ。
【請求項１２】
前記発光素子は、前記金属層の前記少なくとも２つの部分のうちの１つの上の配置されている、請求項１に記載の発光素子パッケージ。
【請求項１３】
前記基板はシリコンを含む、請求項１に記載の発光素子パッケージ。
【請求項１４】
前記複数の突起部は、それぞれ、半球、円錐、円柱、多角形、及び多角錐のいずれかの形状で形成されている、請求項１に記載の発光素子パッケージ。
【請求項１５】
前記金属層は、前記基板の下面まで延在する、請求項１に記載の発光素子パッケージ。